(57)【特許請求の範囲】
【請求項１】
予混合室と燃焼室とを画成する本体を備えた放射バーナーであって、
前記予混合室が、複数段のバーナー表面を有する少なくとも１つの放射バーナープレートによって前記燃焼室と区画され、前記燃焼室の範囲が第１放射スクリーンでさらに画定されており、前記燃焼室内に第２放射スクリーンをさらに備え、
前記第２放射スクリーンは、使用時に拡張バーナー表面として機能しかつ前記少なくとも１つの放射バーナープレートが加熱されるように、前記少なくとも１つの放射バーナープレートの近傍にかつ平行に離隔して配置されており、前記第２放射スクリーンと前記少なくとも１つの放射バーナープレートのバーナー表面の最も高い段との間の距離は３〜５０ｍｍであることを特徴とする放射バーナー。
【請求項２】
前記第１および第２放射スクリーンは、それぞれ平行に離間して配列された複数の丸棒または角棒からなり、前記第１および第２放射スクリーンが互いに９０°の角度にあることを特徴とする請求項１に記載の放射バーナー。
【請求項３】
前記第１放射スクリーンは金属格子からなり、前記第２放射スクリーンは平行に離間して配列された複数の丸棒または角棒からなることを特徴とする請求項１に記載の放射バーナー。
【請求項４】
前記燃焼室が、少なくとも１つの追加放射スクリーンをさらに備えることを特徴とする請求項１〜３のいずれか一項に記載の放射バーナー。
【請求項５】
前記少なくとも１つの放射バーナープレートがセラミック製のバーナープレートであることを特徴とする請求項１〜４のいずれか一項に記載の放射バーナー。
【発明の詳細な説明】
【技術分野】
【０００１】
本発明は、放射バーナープレートとスクリーンとを備える放射バーナーに関する。
【背景技術】
【０００２】
放射バーナープレートとスクリーンとを備える放射バーナーが、例えば米国特許第４７９９８７９号または欧州特許第０５３９２７９号から知られている。スクリーンが放射バーナープレートと協働し、平均で約５０％の効率レベルとなるバーナーの放射出力をもたらす。空気と燃焼剤との混合物をプレートの後ろ側から放射面へ導くように機能する貫通穴または穿孔の列を備える従来の放射バーナープレートから、貫通穴または穿孔が例えば米国特許第４，５６９，６５７号または米国特許第４，７９９，８７９号に記載されているようにいわゆるハニカムパターンに配置されている現今の放射バーナープレートへと改良がなされることによって、バーナーの放射出力が高められてきた。放射バーナープレートのこの改良または類似の改良によって、温度レベルが上昇するとともに、バーナーの放射出力が向上した。
一方、これらのハニカム状のパターンは、火炎が存在する場所においてバーナープレートの局所的な過熱を生じさせ、温度の一様性を損ない、平均のバーナー表面温度を相対的に低下させ、エネルギー効率を低下させている。したがって、このような局所的な高温によって、貫通穴または穿孔のパターンの使用が制限され、そのシステムにおいて得ることができる放射エネルギーの量の上限も決まってしまう。
【０００３】
より高い放射出力を達成する他のやり方が、例えば米国特許第３，８４７，５３６に提案されており、２つの放射スクリーンが放射バーナープレートの上方に使用されている。しかし、この放射バーナーの改良も、放射バーナーの中央において放射バーナープレートの局所的な過熱を引き起こすので、当業者は、放射バーナープレートの（局所的な）温度を下げて、放射バーナーの寿命を延ばすために、入力を減らすことを余儀なくさせている。
【発明の概要】
【発明が解決しようとする課題】
【０００４】
しかしながら、放射バーナーの効率のさらなる改善が望まれている。
【課題を解決するための手段】
【０００５】
本発明の一態様は、予混合室と燃焼室とを画成する本体を備えた放射バーナーを提供する。予混合室は、複数段のバーナー表面を有する少なくとも１つの放射バーナープレートによって前記燃焼室と区画され、前記燃焼室の範囲が第１放射スクリーンでさらに画定されており、前記燃焼室内に第２放射スクリーンをさらに備える。前記第２放射スクリーンは、使用時に拡張バーナー表面として機能しかつ前記少なくとも１つの放射バーナープレートが加熱されるように、前記少なくとも１つの放射バーナープレートの近傍にかつ平行に離隔して配置されている。
好ましい実施形態において、第２放射スクリーンは、平行に離間して配列された複数の丸棒または角棒からなる。好ましい実施形態において、第１および第２放射スクリーンは、セラミックなどの高耐熱材料、特に、酸化アルミニウムまたは酸化ジルコニウム、チタン酸アルミニウム、酸化ケイ素、コランダムまたはムライト、炭化ケイ素、チッ化ケイ素、もしくは、シリコンインフィルトレート（silicon-infiltrated）炭化ケイ素のような金属溶浸セラミックから製造される。代替的に、放射スクリーンは、例えば二ケイ化モリブデン（ＭｏＳｉ2）または二ケイ化タングステン（ＷＳｉ2）などの金属シリサイドを５０重量％以上含む材料など、他の性質の耐熱材料から製造され得る。他の好ましい実施形態において、放射スクリーンは、カンタルＡＰＭまたはＡＰＭＴなどといった種類の高級ステンレス鋼、耐高温腐食設計のＦｅ−Ｃｒ−Ａｌ系合金、あるいは、アベスタ２５３ＭＡ、アベスタ１５３ＭＡ、インコネル６０１、インコロイ８００ＨＴ、インコロイＭＡ９５６などのようなクロム／ニッケル鋼など、高耐熱の鋼種から製造される。
【０００６】
放射バーナープレートは、好ましくは、例えばコーディエライトまたはジルコニア、部分安定化ジルコニア（ＰＳＺ）、アルミナ、炭化ケイ素、または他の高級工業用セラミックなど、高温に対する耐性ならびに優秀な機械的および熱力学的特性を有するセラミック材料で製作される。放射バーナープレートの２段階のバーナー表面間の高低差が１〜２０ｍｍであり、より好ましくは１〜１０ｍｍであり、さらにより好ましくは２〜７ｍｍであり、最も好ましくは５ｍｍである。
【０００７】
放射バーナープレートが、複数段のバーナー表面を有している。好ましい実施形態においては、これらの複数段が列をなし、放射バーナープレートの貫通穴／穿孔の列ごとに交互に配置されている。そのようなバーナープレートの例を図１に見ることができ、代替的な例を図２および３に見ることができる。これらの形式のバーナープレートは、ハニカムまたは同様の穿孔パターンを有するセラミックタイルと比べて放射率が低い。これは、放射バーナープレートの複数段のバーナー表面のうち、低い方のバーナー表面では、列の側方も加熱されることで付加的な放射出力が得られ、より大きな放射出力がもたらされるのに対して、最も高いバーナー表面では、そのような付加的な放射出力が得られないため、多段放射バーナープレートそれ自体における全体としての放射出力およびエネルギー効率は、ハニカム状穿孔の放射バーナープレートより低くなる。
【０００８】
しかし、驚くべきことに、使用される放射バーナープレート自体の放射出力が低いにも拘わらず、その放射バーナープレートの近くに第２放射スクリーンを配置することによって、放射バーナープレートの早期の不具合を招来するバーナープレートの局所的過熱を生じずに、放射バーナープレートの放射出力を向上し得ることが観察された。これは、多段放射バーナープレートに対する第２放射スクリーンの背面放射が、バーナー表面の最も高い段において、第２放射スクリーンに最も近いがゆえに最大であるという事実によって、科学的に正確さを偽ることなく説明されるかも知れない。
したがって、この最も高い段が、この第２放射スクリーンからの距離がより大きいバーナー表面のより下方の段よりも加熱するが、放射バーナープレートのバーナー表面のこれらの低い段は、穿孔が開口する空洞の周囲の表面を加熱する火炎の効果によって、すでにより高い温度にあるため、本発明の全体としての効果によって、使用時に放射バーナープレートのバーナー表面の異なる段が同じ温度になる。換言すると、放射バーナープレートのバーナー表面の温度の一様性の向上が達成される。当業者であれば、複数の放射スクリーンに纏わる温度の一様性の向上が放射バーナー全体としてのエネルギー効率の向上をもたらすことを理解できるだろう。
好ましい実施形態において、第２放射スクリーンと少なくとも１つの放射バーナープレートのバーナー表面の最も高い段との間の距離は３〜５０ｍｍである。より好ましくは、第２放射スクリーンと放射バーナープレートの最も高い段との間の距離は５〜３０ｍｍであり、さらにより好ましくは１０〜２５ｍｍであり、最も好ましくは１５〜２０ｍｍである。好ましい実施形態において、第２放射スクリーンは、それが放射バーナープレートのバーナー表面の最も高い段の列の方向に従うように配置される。
【０００９】
第１放射スクリーンは、好ましくは金属格子である。他の好ましい実施形態において、第１放射スクリーンは、平行に離間して配列された複数の丸棒または角棒からなる。より好ましくは、第１および第２放射スクリーンが、平行に離間して配列された複数の丸棒または角棒からなる。さらに好ましい実施形態では、第１および第２放射スクリーンが同じ方向に配置される。好ましい代替的実施形態では、第１および第２放射スクリーンが互いにずれた角度で配置される。より好ましくは、第１および第２放射スクリーンが９０°の角度にある。
【００１０】
本発明について観察される更なる利点は、チッ素酸化物または一酸化炭素などといった燃焼副生成物の排出が少ない点にある。これは、第２放射スクリーンがバーナー表面の拡大として機能し、ガス−空気混合物のより完全な燃焼をもたらすことによると思われる。
【００１１】
本発明の他の態様は、燃焼室内に少なくとも１つの追加放射スクリーンを有する放射バーナーを提供する。
【００１２】
本発明の典型的な実施形態を、添付の図面を参照して以下で説明する。
【図面の簡単な説明】
【００１３】
【図１】本発明において使用される放射バーナープレートの典型的な実施形態の断面を示す。
【図２】本発明において使用される放射バーナープレートの典型的な実施形態の断面を示す。
【図３】本発明において使用される放射バーナープレートの典型的な実施形態の断面を示す。
【図４】本発明の典型的な実施形態を示し、放射バーナーの構成をよりよく見せるために一部が切除されている。
【図５】図４の典型的な放射バーナーの側面図を示し、やはり放射バーナーの構成をよりよく見せるために一部が切除されている。
【図６】本発明の別の典型的な実施形態を示す。
【図７】図６の典型的な放射バーナー側面図を示す。
【発明を実施するための形態】
【００１４】
次に、本発明の典型的な実施形態を、図１〜７を参照して説明する。
【００１５】
図１〜３は、本発明において使用することができる放射バーナープレートの典型的な実施形態の断面を示している。図１は、放射バーナープレート２の２段のバーナー表面を示し、図２および図３は、２つの異なる形態の３段のバーナー表面を示している。
【００１６】
図４および図５は、本発明の典型的な実施形態を示している。第１の放射スクリーン４は、カンタルＡＰＭまたはＡＰＭＴなどといった種類の高級ステンレス鋼、耐高温腐食設計のＦｅ−Ｃｒ−Ａｌ系合金、あるいは、アベスタ２５３ＭＡ、アベスタ１５３ＭＡ、インコネル６０１、インコロイ８００ＨＴ、インコロイＭＡ９５６などのようなクロム／ニッケル鋼など、高耐熱の鋼種から製造された、高耐熱の金属格子である。第２の放射スクリーン３は、セラミックなどの高耐熱材料、例えば、酸化アルミニウムまたは酸化ジルコニウム、チタン酸アルミニウム、酸化ケイ素、コランダムまたはムライト、炭化ケイ素、チッ化ケイ素、もしくは、ケイ素を５〜５０％またはそれ以上に溶浸させたシリコンインフィルトレート（silicon-infiltrated）炭化ケイ素のような金属溶浸セラミックから製造される。代替的に、放射スクリーンは、例えば二ケイ化モリブデン（ＭｏＳｉ2）または二ケイ化タングステン（ＷＳｉ2）などの金属シリサイドを５０重量％以上含む材料など、他の性質の耐熱材料から製造され得る。放射バーナープレート２は、２段階のバーナー表面を有し、先述したようにコーディエライトまたは他の熱力学的に適したセラミックからなるセラミックタイルで製造される。
【００１７】
図６および７は、本発明の別の典型的な実施形態を示す。第１および第２放射スクリーンは、セラミックなどの高耐熱材料、例えば、酸化アルミニウムまたは酸化ジルコニウム、チタン酸アルミニウム、酸化ケイ素、コランダムまたはムライト、炭化ケイ素、チッ化ケイ素、もしくは、ケイ素を５〜５０％またはそれ以上に溶浸させたシリコンインフィルトレート炭化ケイ素のような金属溶浸セラミックから製造される。代替的に、放射スクリーンは、例えば二ケイ化モリブデン（ＭｏＳｉ2）または二ケイ化タングステン（ＷＳｉ2）などの金属シリサイドを５０重量％以上含む材料など、他の性質の耐熱材料から製造され得る。この例では、この第１および第２放射スクリーンが互いに９０°の方向に配置されている。放射バーナープレート２は、２段階のバーナー表面を有し、コーディエライトからなるセラミックタイルで製造される。
【００１８】
ここに説明された新規な放射バーナー１は、使用において大きな柔軟性を有し、約１３００℃の温度に達することが可能であり、既存の技術に比べて約１０％という大きな放射係数の増加をもたらす。
【００１９】
例えば１３００℃またはそれ以上の極めて高い温度で使用可能であること、高いエネルギー効率、および、長い耐用年数などによって、本発明の放射バーナーは、高速で移動するウエブ材料の乾燥に特に適している。１つの好ましい応用分野は移動する紙ウエブの乾燥である。
【００２０】
この改良された新たな放射バーナーは、予混合室と燃焼室とを画成する本体を備える。予混合室は、複数段のバーナー表面を有する少なくとも１つの放射バーナープレートによって燃焼室と区画されている。燃焼室はその範囲が第１放射スクリーンでさらに画定されている。放射バーナーは、燃焼室内に第２放射スクリーンをさらに備える。第２放射スクリーンは、使用時に拡張バーナー表面として機能しかつ前記少なくとも１つの放射バーナープレートが加熱されるように、該放射バーナープレートの近傍にかつ平行に離隔して配置されている。
【図１】
0005529126.tif 000002
【図２】
0005529126.tif 000003
【図３】
0005529126.tif 000004
【図４】
0005529126.tif 000005
【図５】
0005529126.tif 000006
【図６】
0005529126.tif 000007
【図７】
0005529126.tif 000008